(57)【要約】  電子ロッカーは、複数の戸棚と、対象物の寸法を測定可能な測定部と、制御部とを有する。制御部は、測定部にて測定された対象物の寸法を、予め記憶された複数の戸棚のそれぞれの寸法のテーブルと比較し、複数の戸棚のうち、その対象物の寸法に適した戸棚を選別する。
2016021145.tif 000002
【特許請求の範囲】
【請求項１】
複数の戸棚と、
対象物の寸法を測定可能な測定部と、
前記測定部にて測定された前記対象物の寸法を、予め記憶された前記複数の戸棚のそれぞれの寸法のテーブルと比較し、前記複数の戸棚のうち前記対象物の寸法に適した戸棚を選別する制御部と、を備えた、
電子ロッカー。
【請求項２】
前記制御部は、前記複数の戸棚のうち、未使用の戸棚の中から前記対象物の寸法に適した戸棚を選別する、
請求項１に記載の電子ロッカー。
【請求項３】
前記測定部は、前記対象物に光を照射し、前記対象物からの反射光の受光結果から前記対象物の寸法を算出する、
請求項１に記載の電子ロッカー。
【請求項４】
前記制御部は、前記測定部にて測定された前記対象物の寸法を外部に送信する、
請求項１に記載の電子ロッカー。
【請求項５】
前記対象物の重量を測定可能な重量センサをさらに備えた、
請求項１に記載の電子ロッカー。
【請求項６】
前記制御部は、前記重量センサにて測定された前記対象物の重量を外部に送信する、
請求項５に記載の電子ロッカー。
【請求項７】
前記測定部は、前記対象物に光を照射し、前記対象物からの反射光の受光結果から前記対象物の宛先情報を検出する、
請求項１に記載の電子ロッカー。
【請求項８】
前記制御部は、前記測定部にて検出された前記対象物の宛先情報を外部に送信する、
請求項７に記載の電子ロッカー。
【発明の詳細な説明】
【技術分野】
【０００１】
本発明は電子ロッカーに関する。
【背景技術】
【０００２】
ユーザが商品をインターネットで発注し、発注を受けた業者が商品をユーザの自宅に配達するいわゆるｅコマースによる商品の販売が近年活発化して来ている。さらに、このｅコマースを利用した商品の販売において、ユーザが指定した商品保管場所に業者が商品を配達し、商品保管場所に一時的に商品を保管した後にユーザが受け取るサービスが普及し始めて来ている。このようなサービスにおける商品保管場所として例えば電子ロッカーが利用される。【０００３】
電子ロッカーは小売店の店頭などに設置される。まずユーザは発注と同時に、ユーザの最寄りの電子ロッカーやあるいは通勤途中の電子ロッカー等、ユーザのアクセスしやすい場所にある電子ロッカーを指定する。【０００４】
発注を受けた業者はユーザが指定した電子ロッカーへ商品を配達し、電子ロッカーの戸棚内に商品を収納し、保管する。【０００５】
その後、ユーザは暗証番号等を用いた解除方法にて電子ロッカーの収納部の鍵を解除し、電子ロッカー内に保管されている商品を取り出す。このようにして最終的に商品がユーザに届けられる。【０００６】
このシステムによれば、不在配達を避けることが可能であり、業者の配達のロスを低減することができる。なお電子ロッカーに関する技術は、例えば特許文献１に開示されている。
【先行技術文献】
【特許文献】
【０００７】
【特許文献１】特開昭６３−２５７８６６号公報
【発明の概要】
【０００８】
本発明は、商品のサイズに応じた戸棚を適宜選択する電子ロッカーを提供する。
【０００９】
本発明の電子ロッカーは、複数の戸棚と、対象物の寸法を測定可能な測定部と、制御部とを有する。制御部は、測定部にて測定された対象物の寸法を、予め記憶された複数の戸棚のそれぞれの寸法のテーブルと比較し、複数の戸棚のうち、その対象物の寸法に適した戸棚を選別する。
【００１０】
この構成により、業者は、電子ロッカーを使用する際に、商品に対して適切なサイズの戸棚を瞬時に認識することができる。この結果、各商品をそれぞれ適切なサイズの戸棚に収容することが可能となり、電子ロッカーを効率的に使用することができる。
【図面の簡単な説明】
【００１１】
【図１】本発明の実施の形態１における電子ロッカーの全体概略図
【図２】図１に示す電子ロッカーのブロック図
【図３】本発明の実施の形態２における電子ロッカーの全体概略図
【図４】図３に示す電子ロッカーのブロック図
【発明を実施するための形態】
【００１２】
本発明の実施の形態の説明に先立ち、従来の電子ロッカーにおける問題点を簡単に説明する。業者が商品を電子ロッカーの戸棚に納める際には、空いている戸棚の中からさらに商品のサイズに応じた戸棚を選別する必要がある。しかしながら、商品のサイズに応じた戸棚を瞬時に判別することは難しい。このため、商品よりも一回り以上大きいサイズの戸棚に商品を納めてしまうことが時折見受けられる。その結果、業者は、大きいサイズの戸棚でしか保管できないほど大きな商品を戸棚に納めなくてはならない際、すでに大きいサイズの戸棚が全て使用不可能な状態となっていることがある。
【００１３】
以下、図面を参照しながら、本発明の実施の形態における電子ロッカーについて説明する。なお以下の説明では「電子ロッカー」とは複数の収納部にて構成された全体の構成、「戸棚」とは電子ロッカーに設けられた複数の収納部のうち１つを指す。
【００１４】
（実施の形態１）
図１は実施の形態１における電子ロッカー１の全体概略図、図２は電子ロッカー１のブロック図である。電子ロッカー１は複数の戸棚２を有している。
【００１５】
戸棚２は、いったん鍵がかけられると暗証番号等の鍵の解除のための動作が認識されない限り開かない仕組みとなっている。また鍵はそれぞれの戸棚２に対して独立して設けられている。
【００１６】
さらに、電子ロッカー１は保管対象物（以下、対象物）の寸法を測定可能な測定部３を有している。具体的には測定部３としてＴｏＦ（Ｔｉｍｅ ｏｆ Ｆｌｉｇｈｔ）センシングカメラが用いられている。ＴｏＦセンシングカメラは、複数の近赤外線を照射する光源と、受光素子とを有している。
【００１７】
ＴｏＦセンシングカメラは、近赤外線を対象物に照射したタイミングと、対象物からの反射光を受光素子で受光するタイミングとを計測し、これらのタイミングの時間差に基づいて、受光素子から対象物までの距離を算出する。画素毎に時間差を計測することで、ＴｏＦセンシングカメラは距離画像を取得することができる。また、ＴｏＦセンシングカメラはこの距離画像の取得と同時に通常の２次元の撮像画像を取得し、対象物の３次元的な形状および寸法を推定することができる。このように、測定部３は、対象物に光を照射し、対象物からの反射光の受光結果から対象物の寸法を算出する。
【００１８】
なお図１に示すように、電子ロッカー１においては、測定部３は上方から下方に向けて対象物を撮像するように配設されている。
【００１９】
また、図２に示すように、電子ロッカー１は制御部１０を有する。制御部１０は、測定部３にて測定された対象物の寸法に応じて適切なサイズの戸棚２を選別する。
【００２０】
以下、具体的に電子ロッカー１の利用方法と動作について例を挙げて説明する。ここでは、配達人が商品を電子ロッカー１に配達しにきた状況を想定する。
【００２１】
この際、配達人はまず保管対象物である商品を所定の位置に載置する。この所定の位置とは測定部３にて商品のサイズを測定可能な位置であり、測定部３の下方である。
【００２２】
測定部３は載置された商品の高さ方向、縦方向、横方向の寸法を測定し、このデータを制御部１０に出力する。
【００２３】
制御部１０は、測定部３にて測定された商品の寸法のデータと、予め記憶された各戸棚２の寸法のテーブルとを比較し、複数の戸棚２のうち、商品のサイズに対して最適なサイズの戸棚２を選別する。なお、制御部１０は各戸棚２の使用状況を常に把握する機能を有しており、上述の選別は未使用の戸棚２の中から行われる。このような機能を実現するため、例えば、制御部１０は記憶部１１を有するとともに、戸棚２に設けられた電子鍵２Ａに接続されている。記憶部１１は各戸棚２の寸法のテーブルを記憶している。制御部１０は電子鍵２Ａの開閉状態を認識して各戸棚２の使用状況を常に把握することができる。
【００２４】
さらに制御部１０は、選別された戸棚２を業者に対して通知する。そのため、例えば図２に示すように、各戸棚２の扉に、使用可能な戸棚２を示す表示部２Ｂが設けられている。あるいは、図１に示すように、電子ロッカー１全体として設けられた表示パネル６に、どの戸棚が使用可能かを、戸棚２の番号や位置とともに示してもよい。
【００２５】
そして、配達人は通知された戸棚２に商品を収納し、一連の動作が終了する。
【００２６】
すなわち、電子ロッカー１ではこのようにして商品のサイズに応じて収納に最適な戸棚２を選別する。そのため、配達人は配達した商品に対して適切なサイズの戸棚２を瞬時に認識することができる。
【００２７】
なお、電子ロッカー１では測定部３が商品の高さ方向、縦方向、横方向の寸法を測定したが、これ以外にも例えば測定部３は商品の高さ方向の寸法を測定するとともに、商品の上面のロゴマークを読み取ってもよい。商品に使用する梱包用の箱のサイズは各業者によって何パターンかに限られている。したがって、測定部３は、ロゴマークを読み取ることにより、業者を識別することができる。この識別結果と、高さ方向の寸法の測定結果から、測定部３は、どの業者のどのパターンの箱が使用されているかを推測することができる。したがって、測定部３は、残り２辺（縦方向、横方向）の寸法を採寸しなくても推定可能である。測定部３は、このようにして得られた商品の高さ方向、縦方向、横方向の寸法のデータを制御部１０に出力してもよい。
【００２８】
（実施の形態２）
図３は実施の形態２における電子ロッカー４の全体概略図、図４は電子ロッカー４のブロック図である。電子ロッカー４は、実施の形態１の電子ロッカー１の構成要素に加え重量センサ５を有している。また、制御部１０が送信部１２を有している。その他の構成は基本的に電子ロッカー１と同じである。そのため、図３、図４では電子ロッカー１と同様の番号を付し、説明を省略する。
【００２９】
図３に示すように、重量センサ５は、測定部３の下方に設けられている。重量センサ５はその上部に載置された対象物の重量を測定することができる。
【００３０】
電子ロッカー４の利用方法と動作について例を挙げて説明する。
【００３１】
例えば電子ロッカー４は、ユーザが荷物を郵送する際の、ユーザから配達業者への荷物受け渡しに好適に利用できる。
【００３２】
ユーザが荷物を所定の位置に置くと、測定部３は荷物のサイズを測定し、さらに重量センサ５は荷物の重量を測定する。また測定部３は併せて荷物宛先もしくは郵便番号といった宛先情報を検出する。すなわち、測定部３は、対象物である荷物に光を照射し、荷物からの反射光の受光結果から荷物の宛先情報を検出することが好ましい。
【００３３】
これらのサイズ測定結果と重量測定結果および宛先情報は制御部１０に出力される。制御部１０はこれらの結果と予め記憶部１１に記憶された料金テーブルとを照合し、郵送に必要な料金を算出する。そして、算出された料金をユーザに通知する。料金は、例えば、電子ロッカー４全体として備え付けられた表示パネル６に表示される。
【００３４】
ユーザが料金を支払うと、さらに制御部１０は、実施の形態１の電子ロッカー１と同様に荷物の寸法の測定結果から適切なサイズの戸棚２を選別しユーザに通知する。
【００３５】
そして、ユーザは通知された指定の戸棚２に荷物を収納する。その後、配達業者は、荷物が収納された戸棚２を開錠して荷物を受け取る。このようにしてユーザは配達業者へ荷物を受け渡すことができる。
【００３６】
さらに、上述のサイズ測定結果と重量測定結果および宛先情報などの各種データは予め配達業者へ送信されることが好ましい。すなわち、制御部１０は、測定部３にて測定された対象物の寸法、重量、宛先情報の少なくともいずれかを外部に送信することが好ましい。そのために、制御部１０は送信部１２を有することが好ましい。これらの各種データを配達業者が得ることで、配達業者は荷物を配達する際の最適なルートを予め検討することができる。さらには、荷物をトラック等の運搬部に積載する際の積載方法も併せて検討することができる。そのため、配達業者は、荷物の積載率を向上したり、積み降ろしの業務効率を向上したりすることができる。
【００３７】
以上のように、電子ロッカー４は、実施の形態１の電子ロッカー１の機能に加え、ユーザから配達業者への荷物受け渡しの際にも好適に利用できる。
【００３８】
なお、以上の説明では、記憶部１１、送信部１２は制御部１０に含まれているが、制御部１０と別に設けて制御部１０と接続してもよい。
【産業上の利用可能性】
【００３９】
本発明による電子ロッカーによると、業者やユーザは商品に対して適切なサイズの戸棚を瞬時に認識することができる。この結果、各商品をそれぞれ適切なサイズの戸棚に収容することが可能となり、電子ロッカーを効率的に利用することができる。
【符号の説明】
【００４０】
１，４    電子ロッカー
２    戸棚
２Ａ    電子鍵
２Ｂ    表示部
３    測定部
５    重量センサ
６    表示パネル
１０    制御部
１１    記憶部
１２    送信部
【図１】
2016021145.tif 000003
【図２】
2016021145.tif 000004
【図３】
2016021145.tif 000005
【図４】
2016021145.tif 000006
【国際調査報告】
2016021145.tif 000007
2016021145.tif 000008
2016021145.tif 000009
2016021145.tif 000010